(57)【要約】【課題】本発明は濾過器を通過する水の流れの方向を制御または切り換えて、前記濾過器が異物を濾過、及び／または前記濾過器で以前に濾過した異物を自動的に排出させる逆洗バルブと、これを利用した濾過装置を提供する。【解決手段】本発明による逆洗バルブは、その内部が中空の本体と、前記本体の内部にその本体内壁と密着し、可動し得るように設けられた往復型逆洗バルブ方向制御部とを含むことを特徴とする。したがって、本発明による逆洗バルブは自動、または手動で導入／排出される水の流れを容易に制御、または切り換えることができる。逆洗バルブを含んだ逆洗濾過装置は、前記逆洗バルブを操作することによって、その内部に含まれたフイルターを新しいものと交換することなくフイルターに蓄積された異物を容易に排出させることができる。
2004536260.tif 000002
【特許請求の範囲】
【請求項１】
内部が中空の本体と、
前記本体の内部に可動し得るように設けられ、本体内壁面とその外周とが密着する方向制御部とを含むことを特徴とし、
ここで、前記本体は、前記本体の長さ方向に沿って、第１の壁面に形成された第１群の連結口と、前記第１群の連結口が形成された第１の壁面の反対側の壁面に前記第１群の連結口と対応するように形成された第２群の連結口が含まれ、
ここで、前記方向制御部は、第１位置で、第１群の連結口と前記第２群の連結口とを互いに連結させる第１セクションと、第２位置で、前記第１群の連結口同士連結させ、第２位置で前記第２群の連結口同士を連結させる第２セクションとを含むことを特徴とする逆洗バルブ。
【請求項２】
前記方向制御部は、
前記本体の内部で回転することによって、前記第１位置または前記第２位置にあることを特徴とする請求項１に記載の逆洗バルブ。
【請求項３】
前記第１セクションは、
各々の前記第１群の連結口と前記第２群の連結口とを結ぶ長さ、及び前記第１及び第２群の連結口の大きさの幅を有し、前記本体内壁と密着した前記方向制御部の外面から予め決められた深さで掘ることにより凹部に形成されていることを特徴とする請求項２に記載の逆洗バルブ。
【請求項４】
前記第２セクションは、
前記第１または第２群の連結口の間の距離だけ離れており、前記第１及び第２群の各連結口の断面のサイズと類似なサイズを有し、前記第１セクションの面と並行に形成されたホールであることを特徴とする請求項３に記載の逆洗バルブ。
【請求項５】
前記第２セクションは、
前記第１または第２群の連結口の間の距離だけ離れており、前記第１及び第２群の各連結口の断面のサイズと類似なサイズを有する互いに隣り合うホールであることを特徴とする請求項２に記載の逆洗バルブ。
【請求項６】
前記方向制御部は、
前記本体の長さ方向に、互いに隣り合う前記第１群または第２群の連結口の間の距離と実質的に同じ距離だけ移動することによって、前記第１位置または前記第２位置にあることを特徴とする請求項１に記載の逆洗バルブ。
【請求項７】
前記第１または第２セクションは、
‘ (ｗｏｏ)’と発音される朝鮮アルファベット形の‘Ｔ’または‘(ｏｈ)’ と発音される‘┴’の形であり、互いに隣り合うことを特徴とする請求項６に記載の逆洗バルブ。
【請求項８】
前記第１または第２セクションは、
前記第１群または前記第２群の連結口の間の距離を含む長さと、前記第１群または前記第２群の各連結口の断面のサイズと類似な幅を有し、前記第１群または前記第２群の連結口から所定の深さ掘ることにより形成されている広さ部と、
前記広さ部の中央位置から前記第２群または前記第１群の連結口と密着する本体の壁面として、前記第１群または第２群の連結口の各々と実質的に同じ大きさを有する広さ部に隣接した狭さ部とを含むことを特徴とする請求項６に記載の逆洗バルブ。
【請求項９】
外部から原水を受け入れて異物を濾過する濾過器と、前記濾過器に受け入れられる前記原水の流れの方向を制御または切り換えて、原水中の前記異物を濾過して清浄にするか、または濾過した前記異物を自動的に外部に排出させる逆洗バルブとを含むことを特徴とする濾過装置。
【請求項１０】
前記逆洗バルブは、
内部が中空の本体と、
前記本体の内部で、もとの場所で回転することができ、本体の内壁とその外周とが密着して設けられた回転方向制御部とを含むことを特徴とし、
ここで、前記本体は、前記本体の長さ方向に沿って、壁面に形成された第１群の連結口（該第１群の連結口は、前記原水を導入する第１連結口と、前記第１連結口と隣接して形成され、前記濾過器から濾過した水が受け入れられる第２連結口を含む）と、
前記第１群の連結口を有する壁面と反対側の壁面に形成された第２群の連結口（該第２群の連結口は、前記第１連結口の反対側の第３連結口と、第２連結口の反対側の第４連結口と、前記濾過器から逆洗される異物を外部に排出する第５連結口を含む）とを含み、
ここで、前記回転方向制御部は、第１回転位置で第１連結口と第３連結口とを連結させ、前記第２連結口と第４連結口とを連結させて、前記第１連結口に導入された原水を前記第３連結口を通じて前記濾過器に移送し、第２連結口を通って前記濾過器から導入される浄化水を、第４連結口に排出させるように形成された第１セクションと、
第２回転位置で、第１連結口と第２連結口とを連結し、第３連結口、第４連結口及び第５連結口を連結して、前記第２連結口から排出される原水を前記濾過器に移送し、前記濾過器からの異物を前記第５連結口を通して排出させる第２セクションとを含むことを特徴とする請求項９に記載の濾過装置。
【請求項１１】
前記第１セクションは、
前記第１群の連結口と前記第２連結口の距離の合計に相当する長さと、前記第１及び第２群の連結口の大きさに相当する幅を有し、前記本体内壁と密着した前記方向制御部の外面から予め決められた深さ掘ることにより凹部に形成されている面を有することを特徴とする請求項１０に記載の濾過装置。
【請求項１２】
前記第２セクションは、
互いに隣り合う前記第１または第２群の連結口の間の距離だけ離れており、前記第１及び第２群の各連結口の断面のサイズと類似なサイズを有し、前記第１セクションの面と並行に形成されたホールを含むことを特徴とする請求項１０に記載の濾過装置。
【請求項１３】
前記本体と前記回転方向制御部は、
前記第１群の連結口及び第２群の連結口と、対応する第１セクション及び第２セクションに他の群の連結口及びセクションが、前記本体と前記回転方向制御部に隣接して結合されるように設けられることを特徴とする請求項１０に記載の濾過装置。
【請求項１４】
前記他の連結口の群とセクションとの間に、それに相当する数だけの濾過器がさらに含まれることを特徴とする請求項１３に記載の濾過装置。
【請求項１５】
外部から第１または第２原水を受け入れて異物を濾過する濾過器と、
前記第１及び第２原水の流れの方向を制御または切り換えて、前記濾過器が前記第１原水から浄化水を生成、または前記第２原水から前記異物を自動的に排出させる逆洗バルブとを含むことを特徴とする濾過装置。
【請求項１６】
前記逆洗バルブは、
内部が中空の本体と、
前記本体の内部にその長さ方向に、本体の壁面と密着して移動することができるように設けられた往復方向制御部とを含むことを特徴とし、
ここで、前記本体は、前記本体の長さ方向に沿って、壁面に形成され、前記第１原水を導入する第１連結口と、前記第１連結口と隣接して形成され、前記濾過器から前記往復方向制御部を通って導入される濾過した水を外部に排出する第２連結口を含む第１群の連結口と、
前記第１群の連結口を有する壁面の反対側の壁面に、前記第１連結口に対向する第３連結口と、第２連結口に対向する第４連結口と、前記第２原水を導入する第５連結口と、前記濾過器から逆洗される異物を外部に排出する第６連結口とを含む第２群の連結口とを含み、
ここで、前記往復方向制御部は、
第１位置で、前記第１連結口と前記第３連結口とを連結させ、前記第２連結口と前記第 4連結口とを連結させて、前記第３連結口を通じて前記第１連結口に導入された前記第１原水を前記濾過器に移送し、前記濾過器から第４連結口を通して導入される浄化水を前記第２連結口に排出させ、
第２位置で、前記第４連結口と前記第５連結口とを連結し、前記第３連結口と前記第５連結口とを連結して、前記第２連結口から導入される第２原水を前記濾過器に移送し、前記濾過器からの異物を前記第６連結口を通して外部に排出させるセクションを含むことを特徴とする請求項１５に記載の濾過装置。
【請求項１７】
前記往復方向制御部は、
互いに隣り合う前記第１または第２連結口の間の距離と実質的に同一の距離本体の長さ方向に移動させることによって、前記第１位置または前記第２位置にあることを特徴とする請求項１６に記載の濾過装置。
【請求項１８】
前記第２セクションは、
‘ (ｗｏｏ)’と発音される朝鮮アルファベット形の‘Ｔ’または‘(ｏｈ)’ と発音される‘┴’の形であり、互いに隣り合うことを特徴とする請求項１６に記載の濾過装置。
【請求項１９】
前記セクションは、
前記第１または前記第２連結口の間の距離を含む長さ、前記第１群または前記第２群の各連結口の断面のサイズと類似な幅を有し、前記第１群または前記第２群の連結口から所定の深さで掘ることによって形成された広さ部と、
前記広さ部の中央位置から前記第２群または前記第１群の連結口と密着する本体の壁面に形成された、前記第１群または第２群の連結口と実質的に同一の大きさの前記広さ部に隣接した狭さ部とを含むことを特徴とする請求項１６に記載の濾過装置。
【発明の詳細な説明】
【技術分野】
【０００１】
本発明は濾過装置に関するものであり、特に、フイルターを通過する水の流れの方向を制御、または切り換えて、前記フイルター（濾過器）が異物を濾過、または前記濾過器から以前に濾過した異物を自動的に排出させる逆洗（ｂａｃｋ  ｗａｓｈ）バルブと、これを利用した濾過装置に関するものである。
【背景技術】
【０００２】
一般的に、浄水器または濾過装置は、外部から水を受け入れて、その水中にある異物を除去して、予め設定された用途に適する浄化水を生成する。前記浄水器、または濾過装置は、水を所定のフイルター（濾過器）に通過させることによって、飲み水、またはリサイクルのための水を生成する。したがって、前記フイルターの性能は、前記浄水器または濾過装置の浄水能力に大きく影響を与える。
【０００３】
例えば、前記浄水器のフイルターは浄水すれば浄水するほど、各種の異物若しくは不純物を連続して蓄積するので、その不純物の量に従って適切な時期に交替しなければならない。しかし、相当の量の不純物が蓄積されたフイルターを交替しなければ、その蓄積された不純物によってフイルターの機能が低下するだけではなく、細菌が繁殖するのに適した雰囲気を形成する。
【０００４】
したがって、従来技術による浄水器は、その浄化能力が正常に動作するように、適切な時期にフイルターを交替しなければならないので、維持費が多く必要になるだけでなく、フイルターの交替が複雑になり、交替したフイルターは環境汚染を起こす問題点を有している。
【０００５】
一方、プール、公衆浴場、養魚場、水族館、各建物及び工場から排出される水を濾過する濾過装置のフイルターも、所定の量の水を濾過することによって、その上に蓄積した異物を除去するために、適切な時期に新しいものと交替する。或はその上に蓄積された異物が除去されなければならない。
【０００６】
例えば、公衆浴場に設けられた濾過装置は、公衆浴場から排出される廃水に含有された熱エネルギーを回収するために、髪の毛、せっけん成分、人体の老廃物などのような異物を含む廃水を濾過するために、網のようなフイルターを利用する。しかし、前記濾過装置は、使用者が手作業によってフイルターに蓄積した異物を除去しなければならないので、利用が不便である。また前記フイルターに蓄積された異物が手作業によって除去されるので、前記フイルターから完全に除去されず、それによって、他のバルブに故障を起こす。
【発明の開示】
【発明が解決しようとする課題】
【０００７】
本発明は上記問題点を解決しようとするものであり、本発明の目的はフイルターを通過する水の流れの方向を制御、または切り換えて、前記フイルター（濾過器）が異物を濾過、または前記フイルターによって以前に濾過した異物を自動的に排出させる逆洗バルブと、これを利用した濾過装置を提供することにある。
【０００８】
本発明の他の目的は、回転型方向制御部または往復型方向制御部によってフイルターを通過する水の流れの方向を制御、または切り換えて、前記フイルターが異物を濾過、または前記フイルターによって以前に濾過した異物を自動的に排出させる逆洗バルブと、これを利用した濾過装置を提供することにある。
【課題を解決するための手段】
【０００９】
上記目的を達成するための本発明の一面によれば、内部が中空の本体と、前記本体の内部で可動し得るように、そして本体の内壁面と外周が密着するように設けられた方向制御部とを含み、ここで、前記本体は、前記本体の長さ方向に沿って、第１の壁面に形成された第１群の連結口と、前記第１群の連結口を有する第１の壁面の反対側の第２の壁面に前記第１群の連結口と対応するように形成された第２群の連結口が含まれ、前記方向制御部は、第１位置で、第１群の連結口と前記第２群の連結口とを互いに連結させる第１セクションと、第２位置で、前記第１群の連結口同士連結させ、第２位置で前記第２連結口同士連結させる第２セクションとを含む逆洗バルブが提供される。
【００１０】
上記目的を達成する本発明の他の面によれば、外部の水源から原水を受け入れその中の異物を濾過するフイルターと、水源からフイルター中への前記原水の流れの方向を制御、または切り換えて、原水中に含まれる前記異物を濾過、または、濾過した前記異物を自動的に外部に排出させる逆洗バルブとを含む本発明による逆洗バルブを利用した濾過装置が提供される。
【００１１】
上記目的を達成する本発明の更に他の面によれば、外部の水源から第１または第２原水を受け入れその中の異物を濾過するフイルターと、水源からフイルター中への前記原水の流れの方向を制御、または切り換えて、前記フイルターが前記第１原水から浄化水を生成、または前記第２原水から前記異物を自動的に排出させる逆洗バルブを含む本発明による逆洗バルブを利用した濾過装置が提供される。
【発明を実施するための最良の形態】
【００１２】
図１は本発明による浄水器を示す構成図である。パイプを通じて原水が貯蔵された水タンク１１０から供給される原水を受け入れて、原水の流れの方向を制御、または切り換えた後受け入れた水を排出し、浄化水、または異物を受け入れ／排出する回転型逆洗バルブ１００と、前記回転型逆洗バルブ１００の一端に結合して、その動作を制御する動力生成部１２０と、前記回転型逆洗バルブ１００からの原水、または中間浄化水を受け入れ浄化して、最終浄化水を生成して前記回転型逆洗バルブ１００に戻すか、または前記回転型逆洗ベルブ１００から原水を受け入れて、濾過する過程で蓄積された異物を前記回転型逆洗バルブ１００に押出す濾過部１３０と、前記構成要素と電気的に連結されて、その構成要素からの検出信号を入力し、制御するための制御信号を生成する回路部１４０とを含む。
【００１３】
前記回転型逆洗バルブ１００は、図２に示したように、円筒形の本体１０３と、前記本体１０３の両側部に形成された第１〜４連結口１〜４及び第５〜第９連結口５〜９と、前記本体１０３の内部に設けられた回転型方向制御部１０２と、前記本体１０３の一端を覆った第１カバー１０１と、前記本体１０３の他端を前記回転型方向制御部１０２の軸Ｓが第２カバー１０４から突き出されるように覆った第２カバー１０４とを含む。
【００１４】
ここで、前記回転型方向制御部１０２は、図２Ｂに示したように、予め決められた第１位置で前記第１〜第４連結口１、２、３、４が互いに連結されるように、制御部１０２の１側が所定の深さで凹まれた第１連結面Ｐ１と、前記第１連結面Ｐ１の反対側に、前記第６〜第９連結口６、７、８、９が互いに連結されるように、所定の深さで凹まれた第２連結面Ｐ２と、前記第１位置に対して、適当な角度例えば９０°回転した第２位置で、前記第１連結口１と第８連結口８とを連結させる第１ホールＨ１と、第２位置で前記第２連結口２と第７連結口７とを連結させる第２ホールＨ２と、第３連結口３と第６連結口６とを連結させる第２位置で、前記第３連結口３と第６連結口６とを連結させる第３ホールＨ３と、前記第２位置で前記第４連結口４と第５連結口５とを連結させる第４ホールＨ４と、その本体の他端に形成されて前記動力生成部１２０に連結される軸Ｓとを含む。この場合に、第１ホール〜第４ホールＨ１〜Ｈ４は、本体に第１連結面Ｐ１及び第２連結面Ｐ２に垂直となるように形成されている。
【００１５】
ここで、前記第１連結面Ｐ１は、前記第１〜第４連結口１、２、３、４を同時に含む若しくは覆う長さ、及び第１〜第４連結口１〜４の直径を含む若しくは覆う幅を有し、前記本体と密着した前記回転型方向制御部１０２の外部面から予め決められた深さで凹まれている形である。同様に、前記第２連結面Ｐ２は、前記第６〜第９連結口６、７、８、９を同時に含む若しくは覆う長さ、及び前記第６〜第９連結口６〜９の一つの直径を含む若しくは覆う幅を有し、前記本体と密着した前記回転型方向制御部１０２の外部面から予め決められた深さで凹まれている形である。
【００１６】
前記ホールＨ１〜Ｈ４は、互いに隣り合う前記連結口の間の所定の距離だけ離れており、前記各連結口と同様のサイズを有し、連結口と同様に配置している。またホールの軸線は、第１若しくは第２連結面と平行になっている。
【００１７】
前記濾過部１３０は、前記第１連結口１及び第１ホールＨ１を通って前記第８連結口８から原水を受け入れて、第１浄化水を生成し、前記第２連結口２に前記第１浄化水を出力する第１フイルター（濾過器）１０と、前記第２連結口２及び第２ホールＨ２を通って、前記第７連結口７から第１浄化水を受け入れて第２浄化水を生成し、前記第３連結口３に前記第２浄化水を排出する第２フイルター（濾過器）２０と、前記第３連結口３及び第３ホールＨ３を通って、前記第６連結口６から第２浄化水を受け入れて第３浄化水を生成し、前記第４連結口４に前記第３浄化水を排出する第３フイルター（濾過器）３０とを含む。ここで、前記第１濾過器１０は、受け入れた水に含まれた異物を浄化するために、濾過材料１２として、砂、活性炭、麦飯石、天然玉などと、これらの混合物からなる濾過材１２と、浄化水が排出される時前記濾過材が排出されないように、フイルター１０の内部に設けられた濾過材排出防止フイルター１３と、フイルター１０の内部の圧力を検出して、その内部に蓄積される異物の量を検出し、その検出された信号を回路部１４０に出力する検出器１１とを含む。同様に第２及び第３フイルター２０，３０は、濾過材料１２、濾過材排出防止フイルター１３及び検出器１１と同様に構成され機能する濾過材料２２及び３２、濾過材排出防止フイルター２３及び３３及び検出器２１及び３１を含む。また、前記濾過部１３０は、例えば、第１フイルター１０からの第１浄化水を外部に排出するためのバルブ４０をさらに含む。
【００１８】
ここで、前記動力生成部１２０は、前記回路部１４０の制御に応じて、その軸が、所定の角度例えば９０°程度回転することができる回転モータ、または手動操作可能な回転棒であり得る。
【００１９】
前記検出器１１、２１、３１は、第１〜第３フイルター１０、２０、３０の内部の圧力を検出することができる圧力検出器を利用することができる。
【００２０】
一方、前記濾過部１３０に蓄積された異物を排出するために、図２に示したように、前記回転型逆洗バルブの前記回転型方向制御部の方向が９０°回転すると、前記第１連結口１から導入された原水は浄水する時に流れる方向と反対の方向に前記濾過部１３０を通過する。これは、後に説明する‘逆洗工程’と定義される。上述のように構成された本発明による浄水器の動作方法を添付図面に従って説明すると、次の通りである。
【００２１】
1) 濾過動作
図３Ａは本発明による浄水器の濾過動作状態を示す構成図である。図３Ｂは、前記浄水器が濾過動作する時、回転型逆洗バルブの動作状態を示す構成図である。
【００２２】
図面に示したように、前記フイルター１０、２０、３０が前記回転型逆洗バルブ１００を通じて前記水タンク１１０から供給された原水を浄化するときには、前記回転型逆洗バルブ１００の回転型方向制御部１０２は、図３Ｂに示したように、前記第１〜第４ホールＨ１〜Ｈ４が各々前記第１〜第４連結口１〜４と第８〜第５連結口８〜５が連結されるように回転した位置に維持する。それから、水タンク１１０から供給された原水は、図３Ａに示したように、第１連結口１と第８連結口８を通って第１フイルター１０に導入される。前記第１フイルター１０は前記原水を浄化して第１浄化水を生成して、第１浄化水を第２連結口２に排出する。第１浄化水は第２連結口２と第７連結口７を通って第２フイルター２０に供される。前記第２フイルター２０は前記第１浄化水を浄水して第２浄化水を生成し、これを前記第３連結口３に排出する。前記第２浄化水は前記第３連結口３と第６連結口６を通って第３フイルター３０に供給される。前記第３フイルター３０は前記第２浄化水を浄水し、第３浄化水(または最終浄化水)を生成して、第４連結口４に排出する。それから、前記最終浄化水は前記第４連結口４と第５連結口５を通って使用者が所望する容器に排出される。
【００２３】
２) 逆洗動作
図４Ａは本発明による浄水器の逆洗動作状態を示す構成図であり、図４Ｂは前記浄水器が逆洗動作する時に、回転型逆洗バルブの動作状態を示す構成図である。
【００２４】
浄水器が原水を浄水する間に、前記第１、第２、第３フイルター１０、２０、３０は連続的に原水を濾過して、その内部に異物が蓄積する。同時に、前記回路部１４０には前記各濾過器１０、２０、３０に設けられた検出器１１、２１、３１からその検出信号(例えば、内部圧力からの信号)が入力されて、検出信号が予め設定された値より大きければ、逆洗動作を実行する。すなわち、前記浄水器が逆洗動作をするときには、前記回路部１４０の制御に応じて前記回転型逆洗バルブ１００の回転型方向制御部１０２は、図４Ｂに示す回転状態となる。すなわち、前記回転型方向制御部１０２の本体に形成された第１連結面Ｐ１は前記第１〜第４連結口１〜４を互いに連結させ、同時に第２連結面Ｐ２は前記第６〜第９連結口を互いに連結させる。これによって、水タンク１１０から供給される原水は、図４Ａに示したように、第１連結口１に供給されて、前記第２〜第４連結口２、３、４を通って各々第１〜第３フイルター１０、２０、３０に排出される。すなわち、前記第２〜第４連結口２、３、４から前記第１〜第３フイルター１０、２０、３０に流れる水の方向は前記各フイルター１０、２０、３０から生成された浄化水が流れる方向と反対である。
【００２５】
したがって、濾過材排出防止フイルター１３，２３，３３の各々を介して前記各フイルター１０、２０、３０に供給された原水は、前記各フイルター１０、２０、３０の精製操作で、原水または中間浄化水(第１、第２浄化水)を管を通じて各フイルター１０、２０、３０に導入することにより、その内部に蓄積された異物と共に第８〜６連結口８〜６に排出される。これによって、前記回転型逆洗バルブは前記第８〜６連結口８〜６から導入した異物を含んだ逆洗された水を前記第９連結口９を通じて外部に排出する。
【００２６】
図５は本発明による濾過装置を示す構成図である。濾過装置は、水貯蔵部２００から供給される廃水、または外部の水源からの原水を受け入れ、前記廃水から浄化された浄化水を排水、前記廃水または原水の流れの方向を制御、または切り換えた後、後に説明する濾過ユニット４００の操作で以前浄化した際に蓄積した異物と共に原水を排水する往復型逆洗バルブ３００と、前記往復型逆洗バルブ３００の一端に連結して、その動作を制御する動力生成部３０１と、前記往復型逆洗バルブ３００からの廃水若しくは原水を受け入れて、前記廃水を浄化した浄化水、または往復型逆洗バルブ３００の逆洗操作で蓄積した異物と共に原水を排出する濾過器４００と、前記構成要素と電気的に連結されて、その構成要素から出力される検出信号を入力し、制御するための制御信号を生成する回路部５００とを含む。
【００２７】
前記往復型逆洗バルブ３００は、図６Ａに示したように、本体３０２と、前記本体３０２の両側部に形成された第１〜２連結口１’〜２’及び第３〜６連結口３’〜６’と、前記本体３０２の内部に設けられた往復型方向制御部３０３とを含む。図６Ｄに示したように、前記前記往復型方向制御部３０３は、前記本体３０２の一端を覆った第１カバー３０４と、前記本体３０２の他端に結合し、前記動力生成部３０１が前記往復型方向制御部３０３と連結されるように、中央に連結ホールを有する第２カバーとを含む。ここで、前記往復型逆洗バルブ３００は、図６ＡのＡ−Ａに沿って切断した断面図として、図６Ｃに示したように、円筒形で製作さている。
【００２８】
前記往復型方向制御部３０３は、図６Ｂに示すように、同じ形で形成され同方向に配設されたホールｈ１及びｈ３と、ｈ１及びｈ３の間でｈ１及びｈ３に関して上下方向に形成されたホールｈ２とを含む。各ホールの一端は、図７Ａに示す第１位置において、ホールｈ１またはｈ３の場合は、連結口１´または２´に相当するホールサイズを有し、ホール２の場合には、第１位置において、連結口３´，４´，５´または６´の一つに相当するホールサイズを有する。また各ホールの他端は、第２の位置において、図８Ａに示すように、ホールｈ２の場合は、連結口１´及び２´を覆う大きさを有し、第２の位置において、ホールｈ３及びｈ１の場合は、それぞれ連結口３´または４´と５´または６´を覆う大きさを有する。
ここで、前記ホールｈ１、ｈ２、ｈ３は前記往復型方向制御部３０３の本体に両側部で対称的に形成されている。 ここで、前記往復型方向制御部ｈ１、ｈ２、ｈ３の本体は、前記ホールが形成された面ａ１、ａ２が前記往復型逆洗バルブ３００の内壁と同じ曲率半径を有するように形成され、そのホールｈ１〜ｈ３の無い他の面は平面ｐ１、ｐ２のように形成されている。ここで、前記平面ｐ１、ｐ２と前記往復型逆洗バルブの内壁との間にはキー溝(図示しない)または回転を防止する支持材をさらに形成することができる。また、前記往復型方向制御部３０３には、その一端に、前記動力生成部３０１の軸と連結されるための連結部３０６が形成されている。
【００２９】
前記往復型方向制御部は前記本体の長さ方向に、互いに隣り合う前記連結口の間の距離と実質的に同一の距離移動することによって、前記第１位置または第２位置にあるようになる。
【００３０】
一方、前記ホールｈ１、ｈ２、ｈ３は、図６Ａ及び６Ｂに示したように、(ｗｏｏ)’と発音される朝鮮アルファベット形の‘Ｔ’または‘(ｏｈ)’ と発音される‘┴’の形である。すなわち、前記ホールｈ１〜ｈ３は、広さ部と該広さ部に隣接した狭さ部で形成される。広さ部は、連結口間の距離を含む長さを有し、前記第１群または第２群の連結口の各々の断面の大きさと類似の幅を有し、前記第１群または第２群の連結口から所定の深さ掘ることにより形成されている。狭さ部は、広さ部の中央位置（又は底部）から本体の他の壁面の方に、各連結口と実質的に同じ大きさで形成されている。
【００３１】
前記濾過器４００は、第５連結口５’からの廃水を浄化するために、砂、活性炭、麦飯石、天然玉など、又はこれらの混合物からなる濾過材４０２と、浄化水を排出する時に、前記濾過材が排出されないように、濾過器４００内部に設けられた濾過材排出防止用フイルター４０４と、前記濾過器４００の内部の圧力を検出して、その内部に蓄積される異物の量を検出し、内圧に相当するその検出された信号を前記回路部５００に出力する検出器４０３とを含む。
【００３２】
前記動力生成部３０１は、前記回路部５００の制御に応じて、その軸を往復運動させることができる空気ポンプ、または油圧ポンプを利用することができるが、手動操作可能な棒を利用することもできる。
【００３３】
前記検出器４０３は、濾過器４００の内部の圧力を検出することができる圧力検出器を利用することができる。
【００３４】
一方、前記水貯蔵部２００は廃水を貯蔵する水タンク２０１と、前記水タンク２０１に貯蔵された廃水の水位を検出する水位検出器２０２と、前記水タンク２０１から前記往復型逆洗バルブ３００に廃水を強制的に排出させるポンプ２０３とを含む。
【００３５】
上述のように構成された本発明による濾過装置の動作方法を添付図面に基づいて説明すると、次の通りである。
【００３６】
１) 濾過操作
図７Ａは本発明による濾過装置の濾過動作状態を示す構成図である。図７Ｂは、図７Ａのように、本発明による濾過装置が濾過動作する時に、往復型逆洗バルブの動作状態を示す構成図である。
【００３７】
図７Ａ及び７Ｂに示したように、前記濾過器４００が前記往復型逆洗バルブ３００を通じて前記水貯蔵部２００から供給された廃水を浄化するときには、前記往復型逆洗バルブ３００の往復型方向制御部３０３は、図７Ｂに示したように、前記第２及び第３ホールｈ２、ｈ３が各々前記第１及び第２連結口１’、２’と前記第５及び第４連結口５’、４’とがそれぞれ連結されるように、第１水平移動位置状態を維持する。これによって、図７Ａに示したように、前記水貯蔵部２００から供給された廃水は、第１連結口１’と第５連結口５’を通って濾過器４００に導入される。前記濾過器４００は前記廃水を浄化して浄化水を生成し、その生成された浄化水を再び前記第４連結口４’に排出する。これによって、前記往復型逆洗バルブ３００は前記第４連結口４’を通じて導入された浄化水を第２連結口２’を通じて外に排出する。
【００３８】
２) 逆洗動作
図８Ａは本発明による濾過装置の逆洗動作状態を示す構成図である。図８Ｂは、図８Ａの本発明による濾過装置が逆洗動作する時の往復型逆洗バルブの構成図である。
【００３９】
上述のように、濾過装置が浄化を実施する間に、前記濾過器４００は連続的に異物を濾取して、その内部に蓄積する。同時に、前記回路部５００は前記濾過器４００の内部に設けられた検出器４０３に内圧変換された検出信号が入力されて、検出信号が予め設定された値より大きければ、逆洗動作を実行する。すなわち、前記逆洗動作をするためには、前記回路部５００の制御に応じて、前記往復型方向制御部３０３は、図８Ｂに示したように、第２水平移動位置状態になる。これによって、前記往復型方向制御部３０３の第２ホールｈ２は第１連結口１’と第２連結口２’とを連結させ、前記第３ホールｈ３は前記第３連結口３’と第４連結口４’とを連結させ、前記第１ホールｈ１は前記第５連結口５’と第６連結口６’とを連結させる。
【００４０】
上述のように、各連結口が互いに連結された状態で、廃水は前記往復型逆洗バルブ３００に流入されないようにし、その代りに、原水が前記第３連結口３’に導入されるようにする。これによって、前記第３連結口３’を通じて導入された原水は第３ホールｈ３を通って第４連結口ｈ４’に排出されて前記濾過器４００に導入される。前記濾過器４００に導入された原水は以前に濾過器４００に蓄積された異物と共に前記第５連結口５’に入力される。第５連結口５’に導入された異物を含んだ原水は、第１ホールｈ１を通って第６連結口６’から外部に排出される。
【００４１】
したがって、前記濾過器４００に導入された原水は、前記濾過器４００が浄化水を生成する方向と反対の方向に導入されて、以前に蓄積された異物と共に外部に排出される。
【００４２】
上述のように構成された本発明による濾過装置は、プール、公衆浴場、養魚場、水族館、各建物及び工場から排出される水を浄化するために、他の施設物と共に設けられる。
【００４３】
例えば、図９に示したように、公衆風呂場に設けられた濾過装置１０００は、廃水を貯蔵する水貯蔵部２００と熱交換器６００との間に設けられる。したがって、先に説明したように、前記浄化装置１０００は水貯蔵部２００から廃水を浄化した後に、前記熱交換器６００に浄化水を排出すれば、前記熱交換器６００は前記浄化水と外部から導入される原水を間接的に接触させて、前記浄化水に含まれた熱エネルギーを前記原水に伝達させる。
【００４４】
一方、前記熱交換器６００は、図９に示したように、前記浄化装置１０００から排出される浄化水を受け入れるか、原水が入力されて、その内部に形成されるスケールなどを逆洗させるために、前記浄化装置１０００に設けられた往復型逆洗バルブ３００のような第１往復型逆洗バルブ３００−１をさらに設けることができる。
【００４５】
ここで、前記濾過装置１０００と第１往復型逆洗バルブ３００−１及び熱交換器６００は、次のように、互いに連結される。すなわち、前記濾過装置１０００の往復型逆洗バルブ３００の第２連結口２’は第１往復型逆洗バルブ３００−１の第１連結口１’’と連結され、前記第２連結口２’’は外部または、また他の逆洗バルブ(図示しない)と連結される。また、前記第３連結口３’’は外部の水源から原水を受け入れるパイプと連結され、第４及び５連結口４’’、５’’は前記熱交換器６００と連結され、第６連結口６’’は、前記熱交換器６００の内部に形成されたスケールのような異物を排出するためにパイプと連結される。
【００４６】
一方、前記熱交換器６００は前記第１往復型逆洗バルブ３００−１から排出される浄化水に含まれた熱エネルギーを外部の水源から導入される原水に伝達させるために、前記原水を受け入れ、排出するパイプと連結される。また、前記熱交換器は管型またはプレート型のような形態の熱交換器が利用され得る。
【００４７】
したがって、上述のように構成された公衆風呂場の濾過装置は、図１０Ａと図１０Ｂに示したように、濾過及び逆洗工程を実行する。
【００４８】
１) 濾過及び熱交換工程
公衆風呂場の濾過装置が濾過及び熱交換を実行する時は、濾過装置と熱交換器に設けられた往復型逆洗バルブ３００、３００−１は、図７Ｂのような状態を維持する。これによって、図１０Ａに示したように、前記廃水は前記濾過装置の１’→５’ →４００→４’ →２’の順で部材を通過する間、前記濾過器４００によって浄化水に処理される。その次に、前記浄化装置の第２連結口２’から排出された浄化水は、前記第１往復型逆洗バルブ３００−１の１’’から５’’（１’’ →５’’）の部材を通って熱交換器６００を通過し、前記第１往復型逆洗バルブ３００−１の部材４’’ から２’’（４’’ →２’’）を通って外部に排出される。したがって、前記浄化水は熱交換器で自分に含まれた熱エネルギーを原水に伝達する。
【００４９】
２) 逆洗工程:
公衆風呂場の濾過装置が濾過及び熱交換工程を実行する間、前記濾過器４００はその内部に異物を連続的に蓄積する。同時に、前記浄化水がパイプを通過する間に発生する微細なスケールが前記熱交換器の内部に付着する。
【００５０】
したがって、前記濾過装置に含まれた異物と前記熱交換器に含まれたスケールを逆洗するために、前記濾過装置と熱交換器に設けられた往復型逆洗バルブ３００、３００−１が、図８Ｂのような状態を維持する。これによって、図１０Ｂのように、前記濾過装置の往復型逆洗バルブ３００と前記熱交換器の第１往復型逆洗バルブ３００−１は、外部から各々第３連結口３’、３’’に原水を入力して浄化水を生成する反対の方向と浄化水が流れる反対の方向に流れるようにする。前記熱交換器を通過することによって、スケールなどが含まれた原水は第１往復型逆洗バルブ３００−１の第６連結口６’’を通じて外部に排出され、前記濾過器４００を通過する異物が含まれた原水も往復型逆洗バルブ３００の第６連結口６’を通じて排出される。
【産業上の利用可能性】
【００５１】
上述の詳細な説明のように、本発明による逆洗バルブは自動、または手動で導入／排出される水の流れを容易に制御、または切り換えることができ、これを含んだ逆洗濾過装置は、前記逆洗バルブを操作することによって、その内部に含まれたフイルターを交替せず、蓄積された異物を容易に排出させることができる。
【００５２】
上記好ましい実施例において、本発明による浄水器は三つの濾過器を設けて原水を浄化し、それによる異物を排出する例を説明したが、前記回転型逆洗バルブの連結口の数に従って濾過器の数は変更することができる。また、前記回転型逆洗バルブは並列または直列に配列され、それによる濾過器が原水を浄化し、その濾過器に蓄積された異物を排出させることができる。
【００５３】
本発明による濾過装置は一つの濾過器を設けて異物を排出する例を説明したが、前記往復型逆洗バルブの連結口の数に従って濾過器の数は変更することができる。前記往復型逆洗バルブは並列または直列に配列され、濾過器が原水を浄化し、その濾過器に蓄積された異物を排出させることができる。
【００５４】
また、本発明の実施の形態から前記回転型逆洗バルブと前記往復型逆洗バルブを互いに組み合わせて、他の濾過装置が実施されることができるであろう。
【図面の簡単な説明】
【００５５】
【図１】本発明による浄水器を示す構成図である。
【図２Ａ】図１の回転型逆洗バルブを示す構成図である。
【図２Ｂ】図２Ａの回転型方向制御部を詳細に示す構成図である。
【図３Ａ】本発明による浄水器の濾過動作状態を示す構成図である。
【図３Ｂ】図３Ａのように、浄水器が濾過動作する時の回転型逆洗バルブの構成図である。
【図４Ａ】本発明による浄水器の逆洗動作状態を示す構成図である。
【図４Ｂ】図４Ａのように、浄水器が逆洗動作する時の回転型逆洗バルブの構成図である。
【図５】本発明による濾過装置を示す構成図である。
【図６Ａ】図５の往復型逆洗バルブを示す構成図である。
【図６Ｂ】図６Ａの往復型方向制御部を示す構成図である。
【図６Ｃ】図６ＡのＡ−Ａ線に沿って切断した断面図である。
【図６Ｄ】図６Ａの往復型逆洗バルブのふたを示す構成図である。
【図７Ａ】本発明による濾過装置の濾過動作状態を示す構成図である。
【図７Ｂ】図７Ａのように、本発明による濾過装置が濾過動作する時の往復型逆洗バルブの構成図である。
【図８Ａ】本発明による濾過装置の逆洗動作状態を示す構成図である。
【図８Ｂ】図８Ａのように、本発明による濾過装置が逆洗動作する時の往復型逆洗バルブの構成図である。
【図９】本発明による公衆風呂場の濾過装置を示す構成図である。
【図１０Ａ】本発明による公衆風呂場の濾過装置の濾過動作状態を示す構成図である。
【図１０Ｂ】本発明による公衆風呂場の濾過装置の逆洗動作状態を示す構成図である。
【国際公開パンフレット】
2004536260.tif 000003
2004536260.tif 000004
2004536260.tif 000005
2004536260.tif 000006
2004536260.tif 000007
2004536260.tif 000008
2004536260.tif 000009
2004536260.tif 000010
2004536260.tif 000011
2004536260.tif 000012
2004536260.tif 000013
2004536260.tif 000014
2004536260.tif 000015
2004536260.tif 000016
2004536260.tif 000017
2004536260.tif 000018
2004536260.tif 000019
2004536260.tif 000020
2004536260.tif 000021
2004536260.tif 000022
2004536260.tif 000023
2004536260.tif 000024
2004536260.tif 000025
2004536260.tif 000026
2004536260.tif 000027
2004536260.tif 000028
2004536260.tif 000029
2004536260.tif 000030
2004536260.tif 000031
2004536260.tif 000032
2004536260.tif 000033
2004536260.tif 000034
2004536260.tif 000035
2004536260.tif 000036
2004536260.tif 000037
2004536260.tif 000038
2004536260.tif 000039
2004536260.tif 000040
2004536260.tif 000041
2004536260.tif 000042
2004536260.tif 000043
2004536260.tif 000044
2004536260.tif 000045
2004536260.tif 000046
2004536260.tif 000047
【国際調査報告】
2004536260.tif 000048